(57)【特許請求の範囲】
【請求項１】
牛の特定危険部位を含む牛のみからなる肉骨粉を、単体で空気中の燃焼温度がおよそ１２００℃で燃焼させた骨灰を、肥料として使用することを特徴とする肉骨粉の処理方法。
【発明の詳細な説明】
【技術分野】
【０００１】
本発明は、肉骨粉を有価物として利用可能にした肉骨粉の処理方法に関するものである。
【背景技術】
【０００２】
従来の肉骨粉の処理方法は、平成１３年に日本国内において狂牛病（ＢＳＥ）が発生してから、全ての肉骨粉を一般廃棄物として取り扱うのみであった。具体的には、肉骨粉を焼却して最終処分場に埋めたり、肉骨粉をセメントに混合して処理される等していた。
【特許文献１】特になし
【発明の開示】
【発明が解決しようとする課題】
【０００３】
しかしながら、従来の肉骨粉の処理方法では、肉骨粉を一般廃棄物として処理しているだけであるので、肉骨粉の有価物としての利用が全くなされていなかった。
【０００４】
そして、肉骨粉を肥料として利用することができれば、肉骨粉の有価物としての利用が可能となるため、肉骨粉の肥料としての利用が強く望まれることとなった。
【０００５】
そこで、本発明は如上のような従来存した諸事情に鑑み創出されたもので、従来は一般廃棄物として処理していた肉骨粉を、肥料として利用可能にした肉骨粉の処理方法を提供することを目的とする。
【課題を解決するための手段】
【０００６】
本発明に係る肉骨粉の処理方法においては、牛の特定危険部位を含む牛のみからなる肉骨粉を、単体で空気中の燃焼温度がおよそ１２００℃で燃焼させた骨灰を、肥料として使用することによって、上述した課題を解決した。
【００１１】
以上のように構成された本発明に係る肉骨粉の処理方法において、牛の特定危険部位を含む肉骨粉を単体で、空気中１０００℃〜１３００℃の温度範囲で、このうち好ましくは、およそ１２００℃で焼却することによって、肉骨粉から有害な物質が取り除かれ、肉骨粉から良質な肥料（骨灰）が生成される。
【発明の効果】
【００１２】
本発明は以上のように構成されているため、従来は一般廃棄物として処理していた肉骨粉を、肥料として有効に利用することができる。
【００１３】
すなわち、１０００℃〜１３００℃の燃焼温度で肉骨粉を燃焼処理したときには、窒素全量（Ｎ）が減少し、リン酸全量（Ｐ２Ｏ５）が増加することとなり、肉骨粉から良質な肥料（骨灰）を得ることができる。
【００１４】
特に、およそ１２００℃の燃焼温度で肉骨粉を燃焼処理したときに、窒素全量（Ｎ）が最も減少し、リン酸全量（Ｐ２Ｏ５）が大幅に増加する事実が判明している。
【００１５】
また、およそ１２００℃の燃焼温度で肉骨粉を燃焼処理したときには、狂牛病（ＢＳＥ）の要因となる遊離アミノ酸組成物が全く存在しなくなり、肉骨粉から極めて安全な肥料（骨灰）を得ることができる。
【００１６】
尚、およそ８００℃以上の燃焼温度で肉骨粉を燃焼処理したときにも、狂牛病（ＢＳＥ）の要因となる遊離アミノ酸組成物が全く存在しなくなる事実が判明している。
【００１７】
一方、所定の燃焼温度で処理した肉骨粉を肥料として水稲の田に使用すると、稲の茎が丈夫になり、大風・豪雨・日照り等の自然災害に対して非常に強い耐性を備えた稲を栽培できる。
【００１８】
また、稲の実の部分の殻も強くなって、大きな米の収穫が可能となり、米の収穫量を大幅に増やすことができる。
【００１９】
しかも、米自体に張りが生じて、米が非常に美味しくなる。
【００２０】
この他、田における種々の農作物の肥料として燃焼処理した肉骨粉を使用したときにも、様々な優れた効果を発揮するものである。
【発明を実施するための最良の形態】
【００２１】
以下に、本発明を実施するための最良の形態を説明する。
【００２２】
本発明に係る肉骨粉の処理方法で処理する肉骨粉は、日本国内で制定された肥料取締法の骨灰の定義に基づき、例えば、蛋白プリオンが病巣といわれる狂牛病に冒された牛の特定危険部位を含む肉骨粉を、他のものと混合せずに単体で使用する。
【００２３】
具体的には、牛の肉骨粉を、空気中１０００℃〜１３００℃の温度範囲で、特に好ましくは、およそ１２００℃近傍の温度で燃焼させる。このとき、燃焼時間が長くなるほど骨は脱水し、含有物の油分や炭化物等が灰化し、骨に含有される全リン酸成分が高まるものとなって、良質な肥料（骨灰）が生成される。
【００２４】
次に、上述した方法により生成された肥料（骨灰）の分析・試験結果について説明する。
【００２５】
先ず、１０００℃近傍の温度で肉骨粉を燃焼させた場合の肉骨粉焼却灰の分析・試験結果は、下記の表１に示す通り、窒素全量（Ｎ）が０．１７％、リン酸全量（Ｐ２Ｏ５）が２０．１３％、く溶性リン酸（Ｐ２Ｏ５）が１８．７６％、加里全量（Ｋ２Ｏ）が０．８３％、石灰全量（ＣａＯ）が２９．４８％となる。
【００２６】
【表１】
0003638945.tif 000002
【００２７】
また、１２００℃近傍の温度で肉骨粉を燃焼させた場合の肉骨粉焼却灰の分析・試験結果は、下記の表２に示す通り、窒素全量（Ｎ）が０．０２％、リン酸全量（Ｐ２Ｏ５）が３３．６３％、く溶性リン酸（Ｐ２Ｏ５）が２８．７５％、加里全量（Ｋ２Ｏ）が１．０８％、石灰全量（ＣａＯ）が４８．７９％となる。
【００２８】
【表２】
0003638945.tif 000003
【００２９】
このとき、１０００℃近傍の温度で燃焼させた場合よりも窒素全量（Ｎ）が減少し、リン酸全量（Ｐ２Ｏ５）が増加している。その結果、肉骨粉を１２００℃近傍の温度で燃焼させるのが、良質な肥料（骨灰）を得るための最適条件となることが判明した。
【００３０】
また、１２００℃（空気中…雷神処理）の温度で肉骨粉を焼却させた場合の肉骨粉焼却灰の分析・試験結果では、下記の表３に示す通り、窒素が０ｇ／１００ｇ（ケルダール法による分析）、リンが１７００ｍｇ／１００ｇ（比色法による分析）、カリウムが９６０ｍｇ／１００ｇ（原子吸光光度法による分析）、カルシウムが３１０００ｍｇ／１００ｇ（原子吸光光度法による分析）となった。
【００３１】
【表３】
0003638945.tif 000004
【００３２】
この他、下記の表４に示す通り、１２００℃近傍の温度で燃焼させた場合の肉骨粉焼却灰のアミノ酸分析計（検出限界１ｍｇ／１００ｇ）による分析結果としては、例えば、イソロイシン、ロイシン、リジン、メチオニン、シスチン、フェニルアラニン、チロシン、スレオニン、トリプトファン、バリン、アルギニン、ヒスチジン、アラニン、アスパラギン酸、グルタミン酸、グリシン、プロリン、セリン等の遊離アミノ酸組成物（ｍｇ／１００ｇ）は、全て検出されなかった。
【００３３】
【表４】
0003638945.tif 000005
【００３４】
このように、肉骨粉を１２００℃近傍の温度で燃焼させると、狂牛病（ＢＳＥ）の要因となる遊離アミノ酸組成物が全く存在しなくなり、極めて安全な肥料（骨灰）を得ることができる。
【産業上の利用可能性】
【００３５】
本発明に係る肉骨粉の処理方法によって生成された肥料（骨灰）を、例えば、農作物の育成等に利用すると、極めて良質な農作物を栽培し、これを出荷できる。そのため、肉骨粉の燃焼処理により生成された肥料（骨灰）は、農作業者や農協等の様々な農業関係者に広く利用されるものである。
【要約】
【課題】従来は一般廃棄物として処理していた肉骨粉を、肥料として利用可能にした肉骨粉の処理方法を提供する。
【解決手段】本発明に係る肉骨粉の処理方法は、肉骨粉を単体で空気中１０００℃〜１３００℃で燃焼させた灰を、肥料（骨灰）として使用する。このとき、好ましくは、燃焼温度が、およそ１２００℃である。そして、肉骨粉は、牛混入のものである。また、肉骨粉は、牛の特定危険部位を含むものである。さらに、肉骨粉は、牛のみからなるものである。本発明に係る肉骨粉の処理方法によれば、肉骨粉から有害な物質が取り除かれ、肉骨粉から良質な肥料（骨灰）が生成される。
【選択図】なし